(57)【要約】  【課題】  コンテンツ配信後のユーザの反応や挙動に応じたコンテンツ配信を行うことのできるコンテンツ配信システムを提供する。  【解決手段】  コンテンツ配信システム１は、ユーザが所持するデバイス２と、デバイス２と通信可能なセンター装置３によって構成される。デバイス２は、撮影コンテンツの画像情報をセンター装置３へ送信する。センター装置３は、撮影コンテンツの画像情報に基づいて、撮影コンテンツと関連性を有する第１コンテンツの情報を、第１コンテンツの位置情報とともにデバイス２へ配信する。センター装置３は、第１コンテンツの位置情報の配信後に、ユーザが第１コンテンツの所在位置へ向かう興味行動を検知した場合に、第１コンテンツと関連性を有する第２コンテンツの情報をデバイス２へ配信する。【選択図】  図１
2009245234.tif 000002
【特許請求の範囲】
【請求項１】
ユーザが所持するデバイスによって撮影された撮影コンテンツの画像情報を、前記デバイスから受信する受信手段と、
前記撮影コンテンツの画像情報に基づいて、前記撮影コンテンツと関連性を有する第１コンテンツの情報を、前記第１コンテンツの所在位置を示す位置情報とともに前記デバイスへ配信する第１コンテンツ配信手段と、
前記第１コンテンツの位置情報の配信後における前記デバイスの位置の変化に基づいて、前記ユーザが前記第１コンテンツの所在位置へ向かう興味行動を検知する興味行動検知手段と、
前記ユーザの興味行動が検知された場合に、前記第１コンテンツと関連性を有する第２コンテンツの情報を前記デバイスへ配信する第２コンテンツ配信手段と、
を備えたことを特徴とするコンテンツ配信システム。
【請求項２】
前記ユーザの興味行動の終了を検知する終了検知手段を備え、
前記興味行動の終了が検知された場合に、前記第２コンテンツ配信手段は、前記デバイスへの前記第２コンテンツの情報の配信を終了することを特徴とする請求項１に記載のコンテンツ配信システム。
【請求項３】
前記終了検知手段は、前記デバイスの位置の変化に基づいて、前記ユーザが前記第１コンテンツの所在位置から離れる終了行動を、前記興味行動の終了として検知することを特徴とする請求項２に記載のコンテンツ配信システム。
【請求項４】
前記終了検知手段は、前記デバイスが前記第１コンテンツの所在位置に到着してからの経過時間に基づいて、前記経過時間が所定の閾値を超えたことを、前記興味行動の終了として検知することを特徴とする請求項２または請求項３に記載のコンテンツ配信システム。
【請求項５】
前記コンテンツの撮影回数をカウントするカウント手段と、
前記撮影回数に応じて、前記コンテンツの情報を前記デバイスへ配信する配信頻度を調整する配信頻度調整手段と、
を備えたことを特徴とする請求項１〜請求項４のいずれかに記載のコンテンツ配信システム。
【請求項６】
ユーザが撮影した撮影コンテンツの画像情報を受信し、
前記撮影コンテンツの画像情報に基づいて、前記撮影コンテンツと関連性を有する第１コンテンツの情報を、前記第１コンテンツの所在位置を示す位置情報とともに前記ユーザに配信し、
前記第１コンテンツの位置情報の配信後における前記ユーザの位置の変化に基づいて、前記ユーザが前記第１コンテンツの所在位置へ向かう興味行動を検知し、
前記ユーザの興味行動が検知された場合に、前記第１コンテンツと関連性を有する第２コンテンツの情報を前記ユーザに配信することを特徴とするコンテンツ配信方法。
【請求項７】
ユーザが所持するデバイスと通信可能なセンター装置であって、
前記デバイスによって撮影された撮影コンテンツの画像情報を、前記デバイスから受信する受信手段と、
前記撮影コンテンツの画像情報に基づいて、前記撮影コンテンツと関連性を有する第１コンテンツの情報を、前記第１コンテンツの所在位置を示す位置情報とともに前記デバイスへ配信する第１コンテンツ配信手段と、
前記第１コンテンツの位置情報の配信後における前記デバイスの位置の変化に基づいて、前記ユーザが前記第１コンテンツの所在位置へ向かう興味行動を検知する興味行動検知手段と、
前記ユーザの興味行動が検知された場合に、前記第１コンテンツと関連性を有する第２コンテンツの情報を前記デバイスへ配信する第２コンテンツ配信手段と、
を備えたことを特徴とするセンター装置。
【請求項８】
センター装置と通信可能であり、ユーザが所持するデバイスであって、
前記デバイスによって撮影された撮影コンテンツの画像情報に基づいて、前記センター装置から配信されるコンテンツのうち、前記撮影コンテンツと関連性を有する第１コンテンツの情報を、前記第１コンテンツの所在位置を示す位置情報とともに受信する第１コンテンツ受信手段と、
前記第１コンテンツの位置情報の受信後における前記デバイスの位置の変化に基づいて、前記ユーザが前記第１コンテンツの所在位置へ向かう興味行動を検知する興味行動検知手段と、
前記ユーザの興味行動が検知された場合に、前記センター装置から配信されるコンテンツのうち、前記第１コンテンツと関連性を有する第２コンテンツの情報を受信する第２コンテンツ受信手段と、
を備えたことを特徴とするデバイス。
【発明の詳細な説明】
【技術分野】
【０００１】
本発明は、コンテンツの情報をユーザのデバイスに配信するコンテンツ配信システムに関する。
【背景技術】
【０００２】
従来、ユーザの目的に応じたコンテンツ配信を行うための技術として、コンテンツ配信ルールの作成システムが知られている（例えば特許文献１参照）。このシステムでは、ユーザの行動モデルと基本行動情報を対応付けて管理しておき、センサで検出されたユーザの物理的な位置が、基本行動情報の論理的位置情報に対応付け可能であるかが判定される。そして、物理的位置情報に対応付け可能な基本行動情報が、コンテンツ配信ルールとして使用される。このようにして、ユーザの目的に応じたコンテンツ配信が実現される。
【特許文献１】特開２００７−２７９８５２号公報
【発明の開示】
【発明が解決しようとする課題】
【０００３】
しかしながら、従来のシステムでは、配信されたコンテンツに対するユーザの反応が、その後のコンテンツ配信にフィードバックされないという問題があった。すなわち、コンテンツ配信後のユーザの挙動に応じて、その後のコンテンツ配信の内容を制御することが考慮されていないという問題があった。
【０００４】
本発明は、上記の課題に鑑みてなされたもので、コンテンツ配信後のユーザの反応や挙動に応じたコンテンツ配信を行うことのできるコンテンツ配信システムを提供することを目的とする。
【課題を解決するための手段】
【０００５】
本発明のコンテンツ配信システムは、ユーザが所持するデバイスによって撮影された撮影コンテンツの画像情報を、前記デバイスから受信する受信手段と、前記撮影コンテンツの画像情報に基づいて、前記撮影コンテンツと関連性を有する第１コンテンツの情報を、前記第１コンテンツの所在位置を示す位置情報とともに前記デバイスへ配信する第１コンテンツ配信手段と、前記第１コンテンツの位置情報の配信後における前記デバイスの位置の変化に基づいて、前記ユーザが前記第１コンテンツの所在位置へ向かう興味行動を検知する興味行動検知手段と、前記ユーザの興味行動が検知された場合に、前記第１コンテンツと関連性を有する第２コンテンツの情報を前記デバイスへ配信する第２コンテンツ配信手段と、を備えている。
【０００６】
このシステムにより、ユーザが撮影した撮影コンテンツに基づいて、その撮影コンテンツと関連する第１コンテンツの情報がユーザに配信される。そして、その第１コンテンツに対するユーザの興味行動が検知された場合に、第１コンテンツに関連する第２コンテンツの情報がユーザに配信される。このようにして、コンテンツの配信後のユーザの反応（第１コンテンツに興味があるという反応）に応じて、配信するコンテンツの内容が適切に制御される。
【０００７】
また、本発明のコンテンツ配信システムは、前記ユーザの興味行動の終了を検知する終了検知手段を備え、前記興味行動の終了が検知された場合に、前記第２コンテンツ配信手段は、前記デバイスへの前記第２コンテンツの情報の配信を終了してもよい。
【０００８】
これにより、ユーザの興味行動の終了が検知されると、第２コンテンツの配信が終了する。このようにして、コンテンツの配信後のユーザの反応（第１コンテンツに興味がなくなったという反応）に応じて、配信するコンテンツの内容が適切に制御される。
【０００９】
また、本発明のコンテンツ配信システムでは、前記終了検知手段は、前記デバイスの位置の変化に基づいて、前記ユーザが前記第１コンテンツの所在位置から離れる終了行動を、前記興味行動の終了として検知してもよい。
【００１０】
これにより、ユーザが第１コンテンツから離れたことが検知されると、第２コンテンツの配信が終了する。このようにして、コンテンツの配信後のユーザの反応（第１コンテンツに興味がなくなったという反応）に応じて、配信するコンテンツの内容が適切に制御される。
【００１１】
また、本発明のコンテンツ配信システムでは、前記終了検知手段は、前記デバイスが前記第１コンテンツの所在位置に到着してからの経過時間に基づいて、前記経過時間が所定の閾値を超えたことを、前記興味行動の終了として検知してもよい。
【００１２】
これにより、ユーザが第１コンテンツに近づいてから所定時間経過したことが検知されると、第２コンテンツの配信が終了する。このようにして、コンテンツの配信後のユーザの反応（第１コンテンツに興味がなくなったという反応）に応じて、配信するコンテンツの内容が適切に制御される。
【００１３】
また、本発明のコンテンツ配信システムは、前記コンテンツの撮影回数をカウントするカウント手段と、前記撮影回数に応じて、前記コンテンツの情報を前記デバイスへ配信する配信頻度を調整する配信頻度調整手段と、を備えてもよい。
【００１４】
これにより、撮影回数に応じてコンテンツの配信頻度が調整される。例えば、撮影回数の多いコンテンツは、多くの人々の興味を引くコンテンツである可能性が高いので、配信頻度が高くなるように調整される。このようにして、配信するコンテンツの内容が適切に制御され、ユーザにとって興味深いコンテンツが配信されるようになる。
【００１５】
本発明のコンテンツ配信方法は、ユーザが撮影した撮影コンテンツの画像情報を受信し、前記撮影コンテンツの画像情報に基づいて、前記撮影コンテンツと関連性を有する第１コンテンツの情報を、前記第１コンテンツの所在位置を示す位置情報とともに前記ユーザに配信し、前記第１コンテンツの位置情報の配信後における前記ユーザの位置の変化に基づいて、前記ユーザが前記第１コンテンツの所在位置へ向かう興味行動を検知し、前記ユーザの興味行動が検知された場合に、前記第１コンテンツと関連性を有する第２コンテンツの情報を前記ユーザに配信する。
【００１６】
この方法によれば、ユーザが撮影した撮影コンテンツに基づいて、その撮影コンテンツと関連する第１コンテンツの情報がユーザに配信される。そして、その第１コンテンツに対するユーザの興味行動が検知された場合に、第１コンテンツに関連する第２コンテンツの情報がユーザに配信される。このようにして、コンテンツの配信後のユーザの反応（第１コンテンツに興味があるという反応）に応じて、配信するコンテンツの内容が適切に制御される。
【００１７】
本発明のセンター装置は、ユーザが所持するデバイスと通信可能なセンター装置であって、前記デバイスによって撮影された撮影コンテンツの画像情報を、前記デバイスから受信する受信手段と、前記撮影コンテンツの画像情報に基づいて、前記撮影コンテンツと関連性を有する第１コンテンツの情報を、前記第１コンテンツの所在位置を示す位置情報とともに前記デバイスへ配信する第１コンテンツ配信手段と、前記第１コンテンツの位置情報の配信後における前記デバイスの位置の変化に基づいて、前記ユーザが前記第１コンテンツの所在位置へ向かう興味行動を検知する興味行動検知手段と、前記ユーザの興味行動が検知された場合に、前記第１コンテンツと関連性を有する第２コンテンツの情報を前記デバイスへ配信する第２コンテンツ配信手段と、を備えている。
【００１８】
このセンター装置によっても、ユーザが撮影した撮影コンテンツに基づいて、その撮影コンテンツと関連する第１コンテンツの情報がユーザに配信される。そして、その第１コンテンツに対するユーザの興味行動が検知された場合に、第１コンテンツに関連する第２コンテンツの情報がユーザに配信される。このようにして、コンテンツの配信後のユーザの反応（第１コンテンツに興味があるという反応）に応じて、配信するコンテンツの内容が適切に制御される。
【００１９】
本発明のデバイスは、センター装置と通信可能であり、ユーザが所持するデバイスであって、前記デバイスによって撮影された撮影コンテンツの画像情報に基づいて、前記センター装置から配信されるコンテンツのうち、前記撮影コンテンツと関連性を有する第１コンテンツの情報を、前記第１コンテンツの所在位置を示す位置情報とともに受信する第１コンテンツ受信手段と、前記第１コンテンツの位置情報の受信後における前記デバイスの位置の変化に基づいて、前記ユーザが前記第１コンテンツの所在位置へ向かう興味行動を検知する興味行動検知手段と、前記ユーザの興味行動が検知された場合に、前記センター装置から配信されるコンテンツのうち、前記第１コンテンツと関連性を有する第２コンテンツの情報を受信する第２コンテンツ受信手段と、を備えている。
【００２０】
このデバイスによれば、ユーザが撮影した撮影コンテンツに基づいて、その撮影コンテンツと関連する第１コンテンツの情報を受信する。そして、その第１コンテンツに対するユーザの興味行動が検知された場合に、第１コンテンツに関連する第２コンテンツの情報を受信する。このようにして、コンテンツの配信後のユーザの反応（第１コンテンツに興味があるという反応）に応じて、受信するコンテンツの内容が適切に制御される。
【発明の効果】
【００２１】
本発明によれば、撮影コンテンツに基づいて第１コンテンツを配信する第１コンテンツ配信手段と、その第１コンテンツに対するユーザの興味行動を検知した場合に、第１コンテンツと関連する第２コンテンツを配信する第２コンテンツ配信手段を設けることにより、第１コンテンツの配信後に配信する第２コンテンツの内容が適切に制御され、コンテンツ配信後のユーザの反応や挙動に応じたコンテンツ配信を行うことができる。
【発明を実施するための最良の形態】
【００２２】
以下、本発明の実施の形態のコンテンツ配信システムについて、図面を用いて説明する。
【００２３】
（第１の実施の形態）
第１の実施の形態のコンテンツ配信システムを、図１〜図６を用いて説明する。図１は、本実施の形態のコンテンツ配信システムの概略を説明するための説明図である。図１に示すように、コンテンツ配信システム１は、ユーザが所持するデバイス２と、デバイス２と無線通信可能なセンター装置３で構成されている。
【００２４】
図１では、あるデバイス２を所持するユーザが、様々な対象物（図では二重丸印で図示されている）を撮影しながら、時間Ｔ１〜Ｔ４までの間に所定の移動経路に沿って移動する様子が示されている。なお、図１の例では、説明の便宜のため、１つのデバイス２と１つのセンター装置３のみが図示されているが、デバイス２やセンター装置３の数はこれに限定されるものではない。つまり、このシステムでは、複数のユーザで様々なコンテンツを共有化することができるともいえる。
【００２５】
図２は、本実施の形態のデバイス２とセンター装置３の構成を説明するためのブロック図である。ここでは、まず、デバイス２の構成について説明する。図２に示すように、デバイス２は、対象物（コンテンツ）の画像を撮影する撮影部４と、センター装置３との無線通信を行うための通信部５を備えている。撮影部４で撮影されたコンテンツ（撮影コンテンツともいう）の画像情報は、通信部５からセンター装置３へ送信される。
【００２６】
つぎに、センター装置３の構成について説明する。センター装置３は、デバイス２が送信した撮影コンテンツの画像情報を受信する受信部６と、様々なコンテンツが記憶されたコンテンツＤＢ７と、デバイス２へコンテンツを配信するための配信部８と、デバイス２へのコンテンツの配信制御を行うための配信制御部９を備えている。
【００２７】
ここで、図３を参照して、コンテンツＤＢ７について説明する。図３は、コンテンツＤＢ７に記憶される情報の一例を示した図である。図３に示すように、コンテンツＤＢ７には、コンテンツ画像（画像Ａ、画像Ｂ、画像Ｃなど）やコンテンツ位置（位置Ａ、位置Ｂ、位置Ｃなど）の情報が記憶されている。また、このコンテンツＤＢ７には、コンテンツの撮影場所（○○池、○○公園、○○町）や撮影対象（鳥、犬、建物）などの情報が記憶されている。さらに、このコンテンツＤＢ７には、コンテンツの撮影回数の情報も記憶されている。なお、このコンテンツＤＢ７には、コンテンツを撮影した時刻の情報が記憶されてもよい。
【００２８】
なお、このコンテンツＤＢ７に記憶されるコンテンツの情報は、デバイス２から送信されるコンテンツの情報に基づいて更新されてもよい。その場合、デバイス２は、これらの情報を取得するために必要な機能と、コンテンツＤＢ７の更新機能を備えていればよい。例えば、デバイス２は、対象物の画像記録機能のほかに、音声録音機能や、対象物との距離・仰角・方位などを取得する機能を備えてもよい。また、このデバイス２は、対象物を認識してその物体の名称やカテゴリをメタ情報として生成する機能や、ユーザの使用履歴と行動認識に基づいて、各ユーザの嗜好や行動を検出・記録する機能を備えてもよい。
【００２９】
つぎに、図２に戻って、配信制御部９の各構成について説明する。図２に示すように、配信制御部９は、デバイス２が送信した撮影コンテンツの画像情報に基づいて、撮影コンテンツと関連性を有するコンテンツ（第１コンテンツ）を選択する第１コンテンツ選択部１０を備えている。本実施の形態では、撮影コンテンツの画像に画像処理（パターンマッチング処理等）を施して撮影対象（どのような物体であるか）が決定される。そして、コンテンツＤＢ７に記憶されているコンテンツのうち、撮影コンテンツと同一または類似の撮影対象のコンテンツが、第１コンテンツとして選択される。
【００３０】
この第１コンテンツ選択部１０で選択されたコンテンツ（第１コンテンツ）の画像情報は、そのコンテンツの位置情報とともに、配信部８からデバイス２へ配信される。すなわち、この第１コンテンツ選択部１０と配信部８が、本発明の第１コンテンツ配信手段に相当するといえる。
【００３１】
また、配信制御部９は、デバイス２の現在位置の情報を取得するデバイス位置取得部１１と、コンテンツ配信後のユーザの興味行動を検知するための興味行動検知部１２を備えている。興味行動検知部は、デバイス２の位置の変化に基づいて、第１コンテンツの配信後にユーザがその第１コンテンツの所在位置へ向かう行動（興味行動）を検知する機能を有している。
【００３２】
さらに、配信制御部９は、ユーザの興味行動が検知された場合に、第１コンテンツと関連性を有するコンテンツ（第２コンテンツ）を選択する第２コンテンツ選択部１３を備えている。本実施の形態では、コンテンツＤＢ７に記憶されているコンテンツのうち、第１コンテンツと同一または類似の撮影対象のコンテンツが、第２コンテンツとして選択される。
【００３３】
この第２コンテンツ選択部１３で選択されたコンテンツ（第２コンテンツ）の情報は、配信部８からデバイス２へ配信される。このようにして、第１コンテンツ配信後に、ユーザの興味行動が検知されると、ユーザへ配信されるコンテンツが制限される。すなわち、この第２コンテンツ選択部１３と配信部８が、本発明の第２コンテンツ配信手段に相当するといえる。
【００３４】
また、配信制御部９は、デバイス２の位置の変化に基づいて、ユーザが第１コンテンツの所在位置から離れる行動（終了行動）を検知する終了検知部１４を備えている。例えば、図４に示すように、デバイス２と対象物との距離が、所定の閾値（閾距離Ｄ）より大きくなると、終了行動として検知される。つまり、この例では、対象物から所定の半径Ｄ以内の円形エリアが、対象物の周辺エリアとして設定されており、ユーザが対象物（第１コンテンツ）の周辺エリアから外へ出る行動が、終了行動（興味行動の終了）として検知される。
【００３５】
さらに、配信制御部９は、デバイス２が対象物の周辺エリア内に入ってからの経過時間（エリア内に滞在している時間）を計測する経過時間計測部１５を備えている。そして、例えば、図５に示すように、デバイス２が対象物の周辺エリアに入ってからの経過時間が所定の閾値（閾時間Ｔｓ）を超えると、終了検知部１４によって終了行動として検知される。つまり、この例では、ユーザが所定時間Ｔｓ以上、対象物の周辺エリア内に滞在する行動が、終了行動（興味行動の終了）として検知される。
【００３６】
また、配信制御部９は、コンテンツの撮影回数をカウントするカウント部１６と、撮影回数に応じてコンテンツの配信頻度を調整する配信頻度調整部１７を備えている。例えば、この配信頻度調整部１７では、コンテンツの撮影回数が多い場合には、そのコンテンツの画像情報の配信頻度を高くするような制御が行われる。また、コンテンツの撮影回数が少ない場合には、そのコンテンツの画像情報の配信頻度を低くするような制御が行われても良い。この撮影回数は、配信されるコンテンツの共感度を測る指針であるともいえる。
【００３７】
以上のように構成された本実施の形態のコンテンツ配信システム１について、図面を用いてその動作を説明する。
【００３８】
図６は、本実施の形態のコンテンツ配信システム１の動作を説明するためのフロー図である。ここでは、図１および図４（または図５）も参照して、コンテンツ配信の流れを説明する。
【００３９】
図６に示すように、例えば、時刻Ｔ１において、ユーザが興味ある対象物Ａ（コンテンツ）をデバイス２で撮影すると、その対象物Ａの画像情報がデバイス２からセンター装置３へ送信される（Ｓ１）。
【００４０】
センター装置３は、デバイス２から受信した対象物Ａの画像情報に基づいて、対象物Ａと関連するコンテンツ（対象物Ｂのコンテンツ）の情報を、その位置（対象物Ｂの位置）の情報とともに、そのデバイス２に配信する（Ｓ２）。
【００４１】
その対象物Ｂの情報を受信したユーザが、例えば、時刻Ｔ２において、その対象物Ｂの方向に移動進路を変更すると、そのユーザの行動（興味行動）は、センター装置３の興味行動検知部１２によって検知される（Ｓ３）。その後、センター装置３からは、対象物Ｂと関連するコンテンツ（ユーザの共感を得ると思われるコンテンツ）の情報のみが、そのデバイス２に配信され、他のコンテンツ（関連の低いコンテンツ）の配信が抑制または制限される。このようにして、デバイス２に配信されるコンテンツの内容が制御される（Ｓ４）。なお、対象物Ｂと関連するコンテンツが複数ある場合には、その複数のコンテンツがデバイス２に配信される。
【００４２】
ユーザは、例えば、時刻Ｔ３に対象物Ｂの周辺エリアに入り、対象物Ｂの撮影等を行う。その後、時刻Ｔ４に、その周辺エリアから外に出ると（または、周辺エリアに入った時刻Ｔ３から所定時間Ｔｓが経過すると）、そのユーザの行動（終了行動）は、センター装置３の終了行動検知部によって検知される（Ｓ５）。このようにして、ユーザの終了行動が検知されると、対象物Ｂに関連するコンテンツの配信制御が終了する（Ｓ６）。
【００４３】
このような本実施の形態のコンテンツ配信システム１によれば、撮影コンテンツに基づいて第１コンテンツを配信し、その第１コンテンツに対するユーザの興味行動を検知した場合に、第１コンテンツと関連する第２コンテンツを配信する配信制御部９を設けることにより、第１コンテンツの配信後に配信する第２コンテンツの内容が適切に制御され、コンテンツ配信後のユーザの反応や挙動に応じたコンテンツ配信を行うことができる。
【００４４】
すなわち、本実施の形態では、ユーザが撮影した撮影コンテンツ（対象物Ａ）に基づいて、その撮影コンテンツ（対象物Ａ）と関連する第１コンテンツ（対象物Ｂ）の情報がユーザに配信される。そして、その第１コンテンツ（対象物Ｂ）に対するユーザの興味行動が検知された場合に、第１コンテンツ（対象物Ｂ）に関連する第２コンテンツの情報がユーザに配信される。このようにして、コンテンツの配信後のユーザの反応（対象物Ｂに興味があるという反応）に応じて、配信するコンテンツの内容が適切に制御される。
【００４５】
また、本実施の形態では、ユーザの興味行動の終了が検知されると、第２コンテンツの配信が終了する。このようにして、コンテンツの配信後のユーザの反応（対象物Ｂに興味がなくなったという反応）に応じて、配信するコンテンツの内容が適切に制御される。
【００４６】
例えば、ユーザが第１コンテンツ（対象物Ｂ）から離れたことが検知されると、第２コンテンツの配信が終了する。このようにして、コンテンツの配信後のユーザの反応（対象物Ｂに興味がなくなったという反応）に応じて、配信するコンテンツの内容が適切に制御される。
【００４７】
または、ユーザが第１コンテンツ（対象物Ｂ）に近づいてから所定時間Ｔｓが経過したことが検知されると、第２コンテンツの配信が終了する。このようにして、コンテンツの配信後のユーザの反応（対象物Ｂに興味がなくなったという反応）に応じて、配信するコンテンツの内容が適切に制御される。
【００４８】
また、本実施の形態では、撮影回数に応じてコンテンツの配信頻度が調整される。例えば、撮影回数の多いコンテンツは、多くの人々の興味を引くコンテンツである可能性が高いので、配信頻度が高くなるように調整される。このようにして、配信するコンテンツの内容が適切に制御され、ユーザにとって興味深いコンテンツが配信されるようになる。
【００４９】
このような本発明のコンテンツ配信システム１によれば、コンテンツ配信前後のユーザの行動（コンテキスト）に応じて、ユーザに対してコンテンツを効率的に配信することができる。つまり、ユーザのコンテキストに基づいたコンテンツ配信ができる。
【００５０】
また、ユーザが、配信されたコンテンツを楽しんでいる間は、関係の無いコンテンツは配信されない。つまり、ユーザが、配信されたコンテンツを楽しんでいる間は、同じ対象に属するコンテンツが配信される。
【００５１】
また、対象物の撮影回数に基づいて、コンテンツ配信を行うことによって、共感度の高いコンテンツを優先的に提供することが可能となる。
【００５２】
（第２の実施の形態）
次に、第２の実施の形態のコンテンツ配信システムを、図７および図８を用いて説明する。第１の実施の形態では、センター装置によるコンテンツの配信制御が行われたのに対して、本実施の形態のコンテンツ配信システムでは、デバイスによるコンテンツの受信制御が行われる点が相違する。
【００５３】
以下、本実施の形態のコンテンツ配信システム２０について説明するが、ここでは、第１の実施の形態と相違する点を中心に説明する。つまり、ここで特に言及しない限り、本実施の形態の構成は、第１の実施の形態と同様である。
【００５４】
図７は、本実施の形態のデバイス２１とセンター装置２２の構成を説明するためのブロック図である。ここでは、まず、デバイス２１の構成について説明する。図２に示すように、デバイス２１は、対象物（コンテンツ）の画像を撮影する撮影部４と、センター装置２２から配信されるコンテンツを受信する受信部２３と、コンテンツの受信制御を行うための受信制御部２４を備えている。
【００５５】
本実施の形態の受信制御部２４は、第１の実施の形態のセンター装置３の配信制御部９と類似する機能を有している。この受信制御部２４の各構成のうち、第１の実施の形態の配信制御部９と相違するのは、第１コンテンツ選択部２５と第２コンテンツ選択部２６と受信頻度調整部２７である。したがって、以下、これらの構成を中心に説明する。
【００５６】
第１コンテンツ選択部２５は、デバイス２１が撮影した撮影コンテンツの画像情報に基づいて、センター装置２２から配信されたコンテンツのうち、撮影コンテンツと関連性を有するコンテンツ（第１コンテンツ）を選択する。本実施の形態では、撮影コンテンツの画像に画像処理（パターンマッチング処理等）を施して撮影対象（どのような物体であるか）が決定される。そして、センター装置２２から配信されたコンテンツのうち、撮影コンテンツと同一または類似の撮影対象のコンテンツが、第１コンテンツとして選択される。
【００５７】
この第１コンテンツ選択部２５で選択されたコンテンツ（第１コンテンツ）の画像情報が、そのコンテンツの位置情報とともに、デバイス２１の受信部２３で受信可能になる。すなわち、この第１コンテンツ選択部２５と受信部２３が、本発明の第１コンテンツ受信手段に相当するといえる。
【００５８】
また、第２コンテンツ選択部２６は、ユーザの興味行動が検知された場合に、センター装置２２から配信されたコンテンツのうち、第１コンテンツと関連性を有するコンテンツ（第２コンテンツ）を選択する。本実施の形態では、センター装置２２から配信されたコンテンツのうち、第１コンテンツと同一または類似の撮影対象のコンテンツが、第２コンテンツとして選択される。
【００５９】
この第２コンテンツ選択部２６で選択されたコンテンツ（第２コンテンツ）の情報が、デバイス２１の受信部２３で受信可能になる。このようにして、第１コンテンツ配信後に、ユーザの興味行動が検知されると、ユーザが受信できるコンテンツが制限される。すなわち、この第２コンテンツ選択部２６と受信部２３が、本発明の第２コンテンツ受信手段に相当するといえる。
【００６０】
受信頻度調整部２７は、撮影回数に応じてコンテンツの受信頻度を調整する機能を備えている。例えば、この受信頻度調整部２７では、コンテンツの撮影回数が多い場合には、そのコンテンツの画像情報の受信頻度を高くするような制御が行われる。また、コンテンツの撮影回数が少ない場合には、そのコンテンツの画像情報の受信頻度を低くするような制御が行われても良い。
【００６１】
つぎに、センター装置２２の構成について説明する。センター装置２２は、第１の実施の形態と同様の配信部８とコンテンツＤＢ７を備えている。本実施の形態では、センター装置２２に配信制御部９が設けられていない例について説明するが、このセンター装置２２に配信制御部９が設けられてもよいことは言うまでもない。
【００６２】
以上のように構成された本実施の形態のコンテンツ配信システム２０について、図面を用いてその動作を説明する。
【００６３】
図８は、本実施の形態のコンテンツ配信システム２０の動作を説明するためのフロー図である。図８に示すように、まず、ユーザが興味ある対象物Ａ（コンテンツ）をデバイス２１で撮影する（Ｓ１０）。
【００６４】
センター装置２２からは、様々なコンテンツが配信される。例えば、デバイス２１は、対象物Ａと関連するコンテンツ（対象物Ｂのコンテンツ）の情報を、その位置（対象物Ｂの位置）の情報とともに受信する（Ｓ１１）。
【００６５】
そして、対象物Ｂの情報を受信したユーザが、その対象物Ｂの方向に移動進路を変更すると、そのユーザの行動（興味行動）が、デバイス２１の興味行動検知部１２によって検知される（Ｓ１２）。
【００６６】
センター装置２２からは、その後も様々なコンテンツが配信されるが、このデバイス２１では、対象物Ｂと関連するコンテンツ（ユーザの共感を得ると思われるコンテンツ）の情報のみが受信され、他のコンテンツ（関連の低いコンテンツ）の受信が抑制または制限される。このようにして、デバイス２１で受信できるコンテンツの内容が制御される（Ｓ１３）。なお、対象物Ｂと関連するコンテンツが複数ある場合には、その複数のコンテンツをデバイス２１で受信できる。
【００６７】
その後、ユーザは、対象物Ｂの周辺エリアに入り、対象物Ｂの撮影等を行う。そして、その周辺エリアから外に出ると（または、周辺エリアに入ってから所定時間が経過すると）、そのユーザの行動（終了行動）が、デバイス２１の終了行動検知部によって検知される（Ｓ１４）。このようにして、ユーザの終了行動が検知されると、対象物Ｂに関連するコンテンツの受信制御が終了する（Ｓ１５）。
【００６８】
このような第２の実施の形態のコンテンツ配信システム２０によっても、第１の実施の形態と同様の作用効果を奏することができる。
【００６９】
この場合、デバイス２１は、ユーザが撮影した撮影コンテンツ（対象物Ａ）に基づいて、その撮影コンテンツ（対象物Ａ）と関連する第１コンテンツ（対象物Ｂ）の情報を受信する。そして、その第１コンテンツ（対象物Ｂ）に対するユーザの興味行動が検知された場合に、第１コンテンツ（対象物Ｂ）に関連する第２コンテンツの情報を受信する。このようにして、コンテンツの配信後のユーザの反応（対象物Ｂに興味があるという反応）に応じて、受信するコンテンツの内容が適切に制御される。
【００７０】
以上、本発明の実施の形態を例示により説明したが、本発明の範囲はこれらに限定されるものではなく、請求項に記載された範囲内において目的に応じて変更・変形することが可能である。
【００７１】
例えば、緯度経度、地域情報（公園の範囲、池の範囲など）に基づいて、対象物の同定を行ってもよい。また、不動産や電子デバイスに限らず、屋外の動物や植物に代表される動的な物体に対しても、不特定多数のユーザによる記録の履歴を保持してもよい。
【００７２】
また、コンテンツに付加されたメタ情報を利用して、適切な音楽を添付し、不特定多数の人々に配信してもよい。また、コンテンツに付加されたメタ情報を利用して、コンテンツに関連した適切な音楽を着信音として設定し、不特定多数の人々に配信してもよい。
【産業上の利用可能性】
【００７３】
以上のように、本発明にかかるコンテンツ配信システムは、第１コンテンツの配信後に配信する第２コンテンツの内容が適切に制御され、コンテンツ配信後のユーザの反応や挙動に応じたコンテンツ配信を行うことができるという効果を有し、有用である。
【図面の簡単な説明】
【００７４】
【図１】第１の実施の形態におけるコンテンツ配信システムの説明図である。
【図２】第１の実施の形態におけるコンテンツ配信システムのブロック図である。
【図３】コンテンツＤＢに記憶される情報の一例を示した図である。
【図４】対象物との距離と時間の経過（終了行動の一例）を示した図である。
【図５】対象物との距離と時間の経過（終了行動の他の例）を示した図である。
【図６】第１の実施の形態におけるコンテンツ配信システムの動作説明のためのフロー図である。
【図７】第２の実施の形態におけるコンテンツ配信システムの説明図である。
【図８】第２の実施の形態におけるコンテンツ配信システムの動作説明のためのフロー図である。
【符号の説明】
【００７５】
１  コンテンツ配信システム
２  デバイス
３  センター装置
４  撮影部
５  通信部
６  受信部
７  コンテンツＤＢ
８  配信部
９  配信制御部
１０  第１コンテンツ選択部
１１  デバイス位置取得部
１２  興味行動検知部
１３  第２コンテンツ選択部
１４  終了検知部
１５  経過時間計測部
１６  カウント部
１７  配信頻度調整部
２０  コンテンツ配信システム
２１  デバイス
２２  センター装置
２３  受信部
２４  受信制御部
２５  第１コンテンツ選択部
２６  第２コンテンツ選択部
２７  受信頻度調整部
【図１】
2009245234.tif 000003
【図２】
2009245234.tif 000004
【図３】
2009245234.tif 000005
【図４】
2009245234.tif 000006
【図５】
2009245234.tif 000007
【図６】
2009245234.tif 000008
【図７】
2009245234.tif 000009
【図８】
2009245234.tif 000010